(57)【特許請求の範囲】
【請求項１】
作業に必要とされる作業平面及び支持構造体を支えるためのアームの組（２）と、
前記アームの組をデッキ構造体の上面に取り付けるための取付けフレーム（１）と、
を備える、橋または同様のデッキ構造体に取り付けられる足場ユニットであって、前記アームの組（２）が、ピボット平行四辺形（１２、１６、１７、及び１８）によって前記取付けフレームに接続され、
前記ピボット平行四辺形は、上側ビーム（１１）および下側ビーム（３）と、前記上側ビーム（１１）および前記下側ビーム（３）を前記取付けフレーム（１）および前記アームの組（２）に接続するための上側ピボット点（１２、１６）および下側ピボット点（１７、１８）とを備えることを特徴とし、
前記下側ビーム（３）または前記上側ビーム（１１）は、前記アームの組（２）から、前記取付けフレーム（１）の前記下側ピボット点（１７）／前記上側ピボット点（１２）の向こう側に延在して、レバーを形成し、かつ
油圧ジャッキ（２１）およびねじジャッキ（２２）を含む群から選択される少なくとも１つの操作装置は、前記下側ビーム（３）または前記上側ビーム（１１）により形成される前記レバーの端に配置されて、前記アームの組（２）の垂直位置を調整することを特徴とする、
足場ユニット。
【請求項２】
前記取付けフレーム（１）の前記ピボット点（１２、１７）が、前記ピボット平行四辺形の前記定義に係る前記アームの組（２）の前記ピボット点（１６、１８）に平行な直線上にあり、前記直線が好ましくは垂直であることを特徴とする、請求項１に記載の足場ユニット。
【請求項３】
前記ピボット平行四辺形の前記下側ビームが三角ビーム（３）であることを特徴とする、請求項１または請求項２に記載の足場ユニット。
【請求項４】
少なくとも前記アームの組（２）、前記取付けフレーム（１）、及び前記ピボット平行四辺形（３、６、１１、１２）間の結合が取り外し可能な取付け要素（６）で実施されることを特徴とする、請求項１〜請求項３のいずれかに記載の足場ユニット。
【請求項５】
前記取付け要素がピボットピン（６）であることを特徴とする、請求項４に記載の足場ユニット。
【請求項６】
垂直アーム（４）と、この一端に横方向に取り付けられたキャリアビーム（５）とを備える前記請求項のいずれかに記載の足場ユニットであって、前記下側ビーム及び上側ビーム（３、１１）が、ラグ（２６）によって前記垂直アーム（４）に取り付けられ、前記ラグのそれぞれに１列の穴が存在し、前記穴（２７）間に第１の間隔が存在し、前記垂直アームに１列の穴が存在し、前記穴（２５）間に前記ラグの穴（２７）間とは異なる間隔が存在することを特徴とする、足場ユニット。
【請求項７】
前記垂直アーム（４）の前記穴（２５）間の間隔が、前記ラグ（２６）の前記穴（２７）間の間隔よりも大きいことを特徴とする、請求項６に記載の足場ユニット。
【請求項８】
前記垂直アーム（４）と前記キャリアビーム（５）が、前記垂直アーム（４）の端のラグによって互いに取り付けられ、前記ラグのそれぞれに１列の穴が存在し、前記穴間に第１の間隔が存在し、前記キャリアビーム（５）に１列の穴が存在し、前記穴間に前記ラグの穴間とは異なる間隔が存在することを特徴とする、前記請求項６または請求項７に記載の足場ユニット。
【請求項９】
前記キャリアビーム（５）の前記穴間の間隔が前記垂直アームのラグ間の間隔よりも大きいことを特徴とする、請求項８に記載の足場ユニット。
【発明の詳細な説明】
【技術分野】
【０００１】
本発明は、橋及び他の構造体のデッキの修復作業、設置作業、及び保守作業を行うために必要とされる作業ステージ及び支持構造体を形成することを意図された足場ユニットに関する。
【０００２】
特に、本発明は、橋の修復足場の作製に関する。
【背景技術】
【０００３】
公開公報ＷＯ２００８１３２２７７は、橋のデッキの修復作業に適した１つの足場構成を開示している。この構成は、橋のデッキに設置されるいくつかの足場支持体からなり、これらの支持体は、橋のデッキの上面にボルト締めされた後、デッキの下面の回転可能な支持要素に支えられることによって、橋から支えられている。
【０００４】
公開公報ＷＯ２０１２０６２９６８は、橋のデッキに足場支持体を取り付けるための取付け要素を開示している。取り付けられる足場支持体は、橋のデッキの上側の２つの支持点で支えられるように構成される。支持点の少なくとも１つは、橋のデッキに取り付けられる取付け要素の圧縮力を受けるように構成され、少なくとも１つは、引張力を受けるように構成される。取付け要素は、少なくとも２つの取付け手段で橋のデッキに取り外し可能に取り付けられるように構成されており、足場支持体の引張力を受ける支持点に取付け要素を取り付けるための少なくとも１つの取付け手段を含む。
【発明の概要】
【発明が解決しようとする課題】
【０００５】
足場支持体は、修復ツール、修復作業者、或いは鋳造型枠などの非常に大きな荷重を支えることができなければならないので、支持体は、優に非常に重厚となる。したがって、これらを取り扱うためのリフティング手段が必要とされ、これらを輸送するのに大型車両が必要とされる。加えて、支持体の設置には、通常、何人もの人を必要とする。すべてのこれらの因子は修復費を増加させる。
【０００６】
修復作業を遅らせ、費用を増加させる別の因子は、橋のデッキに対する支持体の垂直調整マージンが非常に小さいことである。加えて、橋のデッキに対して支持体平面をリフティングする際に支持体平面が傾き、作業を難しくする又は或る方法でこれを補正しなければならない場合がある。大きな荷重に起因して、すべての調整要素及び操作装置の寸法を大型にしなければならず、これは構造体の重量と費用を増加させる。
【０００７】
足場はまた、橋のデッキに通すボルトなどの特別な取付け装置と、或いは取付けるためのデッキの平坦面も必要とする。橋の縁を修復及びキャストするのに必要な型枠はジャッキで動かされなければならず、橋又はデッキの長手方向の連続キャストは不可能である。作業はまた、橋の下面に接する足場に必要となる支持体によって妨げられる。
【課題を解決するための手段】
【０００８】
本発明は、足場によって形成される支持体平面の位置を高さ方向に容易に変えることができる解決策を提供することを意図している。
【０００９】
本発明はまた、高さ方向の調整で横方向の位置決めが変わらない解決策を提供することを意図している。
【００１０】
さらに、本発明の実施形態は、所望時には、解体して輸送し、使用時に組み立てることができる足場を提供することを意図している。
【００１１】
さらに、本発明の実施形態は、構造が単純で、容易に製造される、足場を提供することを意図している。
【００１２】
本発明の実施形態はまた、少なくとも橋のデッキの高さ方向に、好ましくはまたデッキ平面の長手方向に対して横方向に、足場の作業ステージ、型枠、及び他の構造体の位置を幅広い範囲内で調整可能にすることを意図している。
【００１３】
本発明の実施形態はまた、橋などのデッキの上部から、最も好ましくは、デッキの縁とは反対の足場の取付けフレームの側部から少なくとも部分的に、橋のデッキ又は他の平面に対する足場の高さ方向の位置の調整を可能にすることを意図している。
【００１４】
本発明は、ピボット矩形、好ましくはピボット平行四辺形を利用してキャリアアームの組に取り付けられる橋のデッキに足場を接続する取付け要素に基づいている。
【００１５】
本発明の一実施形態によれば、足場は、部品に解体して、使用時に組み立てることができる。
【００１６】
本発明の一実施形態によれば、１つの足場ユニットは、キャリアアームの組の垂直位置を変えるために操作装置を１つだけ備える。
【００１７】
本発明によりいくつかの利点が得られる。
【００１８】
本発明に係る足場ユニットの構造体は軽量であるが、それにもかかわらず、橋の修復作業に用いられる装置及び材料を支えるのに必要とされる大きな荷重を支えられる寸法を有する。足場ユニットは、輸送用に容易に部品に解体して、使用時に組み立てることができる。部品の移動に重量物をリフティングする装置は必要とせず、足場の設置は、１人の作業員ででも行うことができる。本発明の最も重要な利点のうちの１つは、キャリア平面の角度又はデッキの縁からの距離を本質的に変えずに、橋の下面に対して足場により形成されるキャリア平面の位置を幅広い調整範囲内で容易に変えることができることである。足場の構成要素は、プレート及びビーム構造体であり、ゆえに安価に製造される。原則として、足場ユニットの組み立ては、ピボットピンが定位置にセットされることだけを必要とし、ゆえに、設置作業が容易であり、特別なツールは必要とされない。
【００１９】
以下では、本発明が添付図を用いてさらに詳細に説明される。
【図面の簡単な説明】
【００２０】
【図１】本発明に係る足場ユニットの側面図である。
【図２】図１の足場ユニットの分解図である。
【図３】第１の調節位置にある図１及び図２の足場ユニットを示す図である。
【図４】第２の調節位置にある図１及び図２の足場ユニットを示す図である。
【図５】本発明の第２の実施形態を示す図である。
【発明を実施するための形態】
【００２１】
以下では、下方向は、デッキ構造体よりも上からデッキ構造体の上面に向かう方向であり、上に向かう方向は、それと反対の方向である。
【００２２】
図１の実施形態では、足場ユニットは、作業平面を形成するための、及び作業に必要な作業マシン及び型枠を支え、取付けフレーム１のアームの組を橋又は他のデッキ構造体１５の上面に接続するための、及び足場の姿勢及び位置を調整するためのキャリアアームの組２からなる。アームの組２は垂直アーム４を含み、その下端に横キャリアビーム５があり、これは垂直アームの端でＴ字形の構造体をなす。Ｔの第２の分岐は、反対の分岐がデッキから離れる方に向くように、橋のデッキ１５に向くように設置される。作業者用の通路並びに橋のデッキ側の作業マシン及び型枠のために必要な設備を、これらの分岐上に配置することができる。
【００２３】
垂直アーム４の反対端に、２つのビームによって形成されるピボット平行四辺形が存在し、そのうちの上側ビーム１１は、まっすぐな箱形断面のビームであり、その端がピボット点１６で垂直アーム４の端に取り付けられ、そこから取付けユニットの方向に延びる。上側ビーム１１の下に下側平行ビーム３が位置する。この場合、下側ビーム３は、三角ビームであるか或いはジャッキの場所で補強されるビームであり、三角のときには、まっすぐな下側ビームと下側ビームの頂部に形成される三角形とを含み、これは、２つの傾斜ビーム、及び三角の頂点と下側ビームとを接続する垂直支持体からなる。このビーム構造の利点は、軽さと良好な耐荷能力である。
【００２４】
上側ビーム１１が取付けフレーム１の上側部分にあるピボット点１２に取り付けられ、下側ビーム３が取付けフレーム１の下側部分にあるその下のピボット点１７に取り付けられるように、上側ビーム１１及び下側ビーム３は、垂直方向に互いから離間して配置されるピボット点１２及び１７にピボットピン６によって取付けフレーム１に取り付けられる。この例では、取付けフレームのピボット点１２及び１７は同じ垂直の線上にあるが、必要であれば、ピボット点の位置を変えることによってアームの組の移動経路を変えることができる。反対端で、上側ビーム１１及び下側ビーム３は、垂直アーム４の端にあるラグ１３にピボットピン６によって取り付けられ、上側ビーム１１及び下側ビーム３に対するピボット点１６、１８も垂直方向の同じ直線上に並んで形成される。したがって、垂直アーム４とその下端の横キャリアビーム５が垂直に移動できることにより、ピボット点１２、１６、１７、及び１８は、上側ビーム１１及び下側ビーム３と共に、ピボット平行四辺形を形成する。横キャリアビーム５は、垂直アーム１４の下端でラグ１４にピボットピン６によって取り付けられる。この取付け方法では、横キャリアビーム５は、水平姿勢にロックされ、ピン取付けは、容易に組み立てられる接合部を提供することを意図している。
【００２５】
取付けフレーム１は、好ましくは、足場を橋のデッキに取り付けるために垂直方向に調整することができる取付けボルトを含むスタンドの構成をなす取付けプレートを備えることができる。取付けボルトは、橋のデッキにドリルで開けた穴に嵌め込んで化学結合剤で固定することができるため、取付けが強固な、信頼性のあるものになる。
【００２６】
ピボット平行四辺形により、垂直アーム４とこれに取り付けられる横キャリアビーム５を上げ下げすることができる。この実施形態では、操作装置は、取付けフレーム１とピボット平行四辺形の三角に形状設定される下側ビーム３との間で取付けフレーム１上に設置されるジャッキ９である。ジャッキ９は、ジャッキ９に強い作用点が得られるように、ビーム三角の頂点の下の垂直支持体のところに存在する。ジャッキ９は、単純なねじジャッキ、油圧ジャッキ、又は或る類似のリフティング装置とすることができる。垂直位置の継続的な調整は必要とされないので、ジャッキは単純且つ強固な装置とすることができる。
【００２７】
図３では足場は上位置にあり、図４では下位置にある。図面から分かるように、最端の位置にあっても、足場の垂直アーム４は垂直に、キャリアビーム５は水平に正確に維持されている。加えて、高さ調整の移動マージンは非常に大きいことが分かる。以前から知られている解決策では、調整マージンは極めて限られており、調整を行うのが難しいため、これは、以前から知られている解決策に比べて極めて重要な利点である。
【００２８】
図５の足場は前述の足場とは少し異なる。まず第１に、足場の下側ビーム３は、１つになっており、必ずしもまっすぐではなく、垂直アーム４に対して取付けフレーム１と下側ビーム３との間のピボット点の向こう側へ連続している。したがって、下側ビーム３は、取付けフレーム１の下側ピボット点１７の両側に延びるレバーを形成する。油圧ジャッキ２１及びねじジャッキ２２が、同じく垂直アーム４に対して取付けフレーム１と下側ビーム３との間のピボット点の向こう側で、このレバーの端に嵌められている。ジャッキ２１、２２のシャフトは、取付けフレーム１のスタンド２０上に支持されている。両方のジャッキは、下側ビーム３によって形成されるレバーのアームで垂直アーム４及びキャリアビーム５の位置を調整するために独立して用いることができるが、調整は、好ましくは油圧ジャッキにより行われ、一方、足場の位置は、ねじジャッキ２２でロックされる。ここで、油圧ジャッキ及びねじジャッキという用語は、その圧縮力、又は牽引力、又は位置のロックが達成される長さを変えることによって任意の油圧又はねじで作用する操作装置を指す。位置の調整及びロックは、所望であれば、ねじジャッキだけで行うことができるが、高さ調整の補助として又はねじジャッキと並行して油圧ジャッキを用いることができる。他の操作装置又は電動工具はここでは必要とされない。調整は、橋のデッキへの取付けフレームの向こう側で容易に且つ安全に行うことができる。レバーはまた、対応する方法で上側ビーム１１又は両方のビーム３、１１に形成することができる。随意的に、ジャッキのいずれかを上側ビームに嵌め、他方を下側ビームに嵌めること、若しくは下側ビームか又は上側ビームのいずれかに関連して両方を嵌めることが可能である。
【００２９】
足場ユニット（取付けフレーム１）は、好ましくは、スタンド２０からねじ付きボルト２３により橋又は他の構造体のデッキに取り付けられる。デッキへの取付けは、デッキに開けた止り穴にボルトを接着又はキャストすることによって行われる。取付けは、互いから或る距離にある２つのスタンド２０から行われ、足場とデッキとの間に隙間２４が形成されるように、足場をねじ付きボルトでデッキから持ち上げることができる。次いで、足場が取り付けられた状態でデッキの表面に加工を行い、表面をキャストすることができる。その位置の調整を容易にするために、取付けフレームに１つまたは複数の水準器を備えることができる。
【００３０】
この実施形態では、橋又は他の構造体のデッキに対する高さ方向の足場ユニットの位置決めは、ピボット平行四辺形に加えて、垂直アーム４とピボット平行四辺形１２、１６、１７、１８との間の取付点（ピボット点）１６及び１８の場所を変えることによって行われる。垂直アーム４に、取付穴２５が互いに所定の間隔をおいて並んで存在する。上側ビーム１１の端及び下側ビーム３の端にラグ２６が存在し、これらは、垂直アームの両側に配置され、取付穴２７がまた互いに所定の間隔をおいて並んで存在する。垂直アームの取付穴２５間の間隔は、ラグ２６の取付穴２７間の間隔よりも大きい。このようにして、垂直アーム４の取付穴２５によって大きい調整マージンが得られ、ラグ２６の取付穴２７によってより小さい調整マージンが得られる。この調整方法がピボット平行四辺形により行われる調整と組み合わされるときに、足場ユニットの位置は、所望に応じて、非常に幅広い範囲内で正確に設定することができる。これは、数ある中でも、橋の縁キャスティング１９を容易に且つ正確に配置することを可能にする。
【００３１】
橋のデッキ又は他の構造体の縁に対するキャリアビーム５の位置の調整は、対応する穴の配置で行うことができる。
【００３２】
図５は、キャリアビーム５における密な穴の配置と、垂直アームの取付ラグにおける４つの穴を示す。この穴の配置は融通性もあり、適切な調整精度をもたらすために穴の数及び配置を変えることができる。垂直アーム又はキャリアビームなどの長い耐荷構成要素などで密に穴を配置することもできるが、穴の数を最小にして強度を保つためには、より広い穴の配置が好ましい。
【００３３】
本発明では、ピボット平行四辺形を用いることが好ましいが、ピボットの辺の長さ及び位置を必要に応じて変えてピボット矩形にすることができる。
【００３４】
前述の実施形態の特徴は、その目的により適した構造体を作製するために、容易に組み合わせることができ、対応する構成要素を互いに置き換えることができる。
【００３５】
足場に、一本化された作業ステージを備えることができ、これらは、型枠用のレール又は取付具、アブレイシブウォータージェットなどのツール、又は手すりを含むことができる。足場は、橋のデッキのレールに取り付けることができ、ゆえに、作業の進行に伴ってデッキと平行に移動させることができる。取付け構成要素には、ツール及び他の材料を安全に保管するためにツールボックスを備えることができ、システム全体として移動させることができるように足場にリフティングフックなどを設置することができる。
【００３６】
本発明に係る足場ユニットは、組み立て準備ができた状態又はその主な構成要素に解体された状態で作業現場に輸送することができる。足場ユニットの組み立ては、ピボットピン６を定位置に設置し、それらをコッターでロックすることによって簡単に行える。したがって、原則として、足場ユニットの組み立てには、ツールをまったく必要としない。足場ユニットは、比較的軽量の部品に容易に解体され、使用後に新しい場所に移動させることができる。橋のデッキ又は類似の作業現場にいくつかの足場ユニットが必要とされるので、容易な組立て、分解、及び輸送により顕著な利点が達成される。ピボットピン及びコッターの代わりに、もちろん、ボルト及びナットなどの他の対応する取付け要素を用いることが可能である。
【００３７】
前述の例の種々の部分を特許請求の範囲に定められた範囲内で機能上及び構造上の均等物と置き換えることができることは明白である。
【図１】
0006470285.tif 000002
【図２】
0006470285.tif 000003
【図３】
0006470285.tif 000004
【図４】
0006470285.tif 000005
【図５】
0006470285.tif 000006